(57)【特許請求の範囲】
【請求項１】
天井側に高性能フィルタを内蔵した吹出口を配設し、床面側に空気導出穴を設けると共にこの空気導出穴に粗じん及び脱臭フィルタを取り付け、且つ粗じん及び脱臭フィルタの下流側に吸込口を設けた動物飼育室と、
循環ファンを備え、高性能フィルタと吸込口とを連絡する循環路と、
循環ファンより上流側で循環路に連絡し、外気処理空調機と再熱ヒータを配設した空調空気供給路と、
この空調空気供給路と循環路との連結部より吸込口側で循環路に連絡する排気ファンと
を備えて成ることを特徴とする動物飼育室用空調装置。
【請求項２】
高性能フィルタを内蔵した吹出口は、断面略楕円状又は半円形状を為していることを特徴とする請求項１記載の動物飼育室用空調装置。
【請求項３】
循環ファンの送風能力は、３０〜３００回／ｈであることを特徴とする請求項１記載の動物飼育室用空調装置。
【発明の詳細な説明】
【０００１】
【産業上の利用分野】
本発明は、動物実験施設における動物飼育室の空調装置に関するものである。
【０００２】
【従来の技術】
従来、動物実験施設において多数の各動物飼育室へ調整された空気を供給する装置としては、例えば、特公平２ー４９６８７号公報等に開示されるものが知られている。
図２は、ワンスルー型の動物飼育室用空調装置を示す。
【０００３】
図において、１は動物飼育室を表す。
動物飼育室１は、天井２側にＨＥＰＡフィルタのような高性能フィルタを用いた吹出口３が配設されている。又、動物飼育室１には、仕切壁４によって飼育室５と、汚染空気排気室６が形成されている。
【０００４】
飼育室５には、多数のケージラック７が縦方向に積み重ねられている。仕切壁４には、連通穴８が設けられ、この連通穴８には、動物から飛散した体毛を捕集する粗じんフィルタ９が取り付けられている。汚染空気排気室６には、吸込口１０が設けられている。
吹出口３には、空調空気供給路１１が連絡している。この空調空気供給路１１には、全熱交換器１２，空調機１３及び温調用の再熱ヒータ１４が外気側から吹出口３に向かって順番に配設されている。
【０００５】
吸込口１０には、汚染空気排気路１５が連絡している。汚染空気排気路１５には、吸込口１０から外気側に向かって全熱交換器１２及び排気ファン１６が配設されている。
このワンスルー型の動物飼育室用空調装置によれば、外気は全熱交換器１２を経て空調機１３で処理された後、再熱ヒータ１４を介して吹出口３から飼育室５内に空調空気が供給される。そして、飼育室５内に配設された多数のケージラック７を通過して連通穴８に設けた粗じんフィルタ９で動物から飛散した体毛を捕集した後、汚染空気排気室６の吸込口１０を介して汚染空気排気路１５で外気側へ排気される。この際、汚染空気排気路１５を流れる汚染空気の熱を全熱交換器１２で回収する。
【０００６】
尚、排気からの熱回収を行わない場合には、全熱交換器１２を省略することができる。
図３は、１方向気流ラック方式の動物飼育室用空調装置を示す。
この装置では、動物飼育室２０以外は同様であるから、省略する。
動物飼育室２０は、仕切板２１及び空気流入口を有する前板２２により、作業室２３と飼育室２４とに仕切られ、飼育室２４に多数のラック２５が１方向に重ねられている。
【０００７】
一方側のラック２５には、金網ケージ２６が収容され、他方側のラック２５には、プラスッチクケージ２７が収容されている。プラスッチクケージ２７を収容したラック２５には風向調整板２８が取り付けられている。
この１方向気流ラック方式の動物飼育室用空調装置では、動物飼育室２０内を仕切板２１及び前板２２により仕切ることにより、気流の１方向性を確保することができる。
【０００８】
【発明が解決しようとする課題】
処で、図２に示すワンスルー型の動物飼育室用空調装置及び図３に示す１方向気流ラック方式の動物飼育室用空調装置では、何れもケージラック７及びラック２５がオープンタイプであるため、飼育動物の分泌物、排泄物に由来するアレルギー物質によれ研究者及び飼育作業者の健康阻害が問題となっている。
【０００９】
そこで、換気回数をできるだけ増加してアレルギー物質濃度を下げる努力が為されてきたが、コストの面から３０回程度が上限であった。
又、前者の場合には、オールフレッシュとなるため、換気回数を多くすることはエネルギー消費が多大となる。
一方、後者の場合には、室面積が同一の場合、作業スペースが小さくなる。ラックレイアウト変更が困難である。
【００１０】
本発明は斯かる従来の問題点を解決するために為されたもので、その目的は、飼育動物の分泌物、排泄物に由来するアレルギー物質の濃度低減を可能とし、以て研究者及び飼育作業者の健康阻害を防止できる動物飼育室用空調装置を提供することにある。
【００１１】
【課題を解決するための手段】
請求項１の発明は、天井側に高性能フィルタを内蔵した吹出口を配設し、床面側に空気導出穴を設けると共にこの空気導出穴に粗じん及び脱臭フィルタを取り付け、且つ粗じん及び脱臭フィルタの下流側に吸込口を設けた動物飼育室と、循環ファンを備え、高性能フィルタと吸込口とを連絡する循環路と、循環ファンより上流側で循環路に連絡し、外気処理空調機と再熱ヒータを配設した空調空気供給路と、この空調空気供給路と循環路との連結部より吸込口側で循環路に連絡する排気ファンとを備えて成ることを特徴とするものである。
【００１２】
請求項２の発明は、高性能フィルタを内蔵した吹出口は、断面略楕円状又は半円形状を為していることを特徴とするものである。
請求項３の発明は、循環ファンの送風能力は、３０〜３００回／ｈであることを特徴とするものである。
【００１３】
【作用】
請求項１乃至３の発明においては、空調された空気は、天井側に設けた高性能フィルタを内蔵した吹出口から飼育室内に供給され、飼育室内のラックを通して床面側に設けた空気導出穴へ吸い込まれていく。この際、飼育動物から飛散する体毛や臭いは粗じん及び脱臭フィルタで取り除かれる。
【００１４】
飼育室から排気された空気は、循環ファンによって循環路を流れ、高性能フィルタによって浄化された後に再び飼育室内へ供給される。
この際の換気回数は、３０〜３００回／ｈと従来の換気回数の多くされる。
又、排気ファンからは、循環路を流れる空気を、所望のタイミングで排気する。  一方、空調空気供給路では、例えば、７．５〜１０回／ｈ程度の回数となり、外気導入量を大幅に少なくすることができる。
【００１５】
【実施例】
以下、本発明を図面に示す実施例に基づいて説明する。
図１は、請求項１乃至３に係る動物飼育室用空調装置の一実施例を示すものである。
図において、３０は動物飼育室を表す。
【００１６】
動物飼育室３０は、仕切板３１によって飼育室３２と汚染空気排気室３３とに仕切られている。
飼育室３２には、天井３４側に断面略楕円形状の高性能フィルタから成る吹出口３５が配設されている。この高性能フィルタとしては、ＨＥＰＡフィルタ又はＵＬＰＡフィルタが用いられている。これらの高性能フィルタによれば、ＤＯＰ９９．９７％の除去効率があるため、粒子状のアレルギー物質は除去される。
【００１７】
飼育室３２には、ラック３６が１方向に積み重ねられている。ラック３６には、オープンタイプの飼育器３７が収容されている。
仕切板３１には、下方に空気導出穴３８が設けられており、この空気導出穴３８には、平板状の粗じん及び脱臭フィルタ３９が取り付けられている。
汚染空気排気室３３には、天井側に吸込口４０が設けてある。
【００１８】
この吸込口４０と吹出口３５とは、循環路４１によって連絡している。循環路４１には、循環ファン４２が備えてある。
循環路４１には、循環ファン４２より上流側で空調空気供給路４３が連絡している。この空調空気供給路４３は、外気処理空調機４４と再熱ヒータ４５が配設されている。
【００１９】
この空調空気供給路４３と循環路４１との連結部より吸込口４０側には、循環路４１に連絡する排気ファン４６が備えてある。
次に、このようにして構成された本実施例の作用を説明する。
外気処理空調機４４で処理され、再熱ヒータ４５で温調された空調空気は、空調空気供給路４３から循環路４１を介して天井３４側に設けた高性能フィルタを内蔵した吹出口３５から飼育室３２内に供給され、飼育室３２内のラック３６に収容されたオープンタイプの飼育器３７を通して仕切板３１の床面側に設けた空気導出穴３８へ吸い込まれていく。この際、飼育動物から飛散する体毛や臭いは粗じん及び脱臭フィルタ３９で取り除かれる。
【００２０】
飼育室３２から汚染空気排気室３３内へ排出された空気は、天井側に設けた吸込口４０から循環ファン４２によって循環路４１を流れ、吹出口３５へ送られ、ここで高性能フィルタによって浄化された後に、再び飼育室３２内へ供給される。
この際の循環ファン４２の換気回数は、１５０〜２００回／ｈと従来の換気回数の１０倍以上とされる。
【００２１】
又、排気ファン４６からは、循環路を流れる空気を、所望のタイミングで排気する。  一方、空調空気供給路４３では、例えば、７．５〜１０回／ｈ程度の回数となり、外気導入量を大幅に少なくすることができる。
従って、循環路４１では、汚染空気排気室３３を出た空気は、一部は排気ファン４６により排気され、外気処理空調機４４で処理された給気と混合されて再び循環ファン４２によって飼育室３２内へ給気される。
【００２２】
以上の実施例によれば、高性能フィルを内蔵する吹出口３５によるアレルギー物質の除去と、粗じん及び脱臭フィルタ３９による飼育動物から飛散する体毛や臭いの除去により、循環路４１により空気を循環することが可能となり、外気導入量が従来方式の約１／２となる。このため、イニシャルコスト、ランニングコスト共に従来方式に比べて１０％程度低減できる。
【００２３】
又、循環ファン４２による換気回数を３０回／ｈとすると、汚染物質濃度を５０〜６７％程度にすることができ、１５０〜２００回／ｈとすると、汚染物質濃度を１０％程度にすることができる。更に、３００回／ｈとすると、汚染物質濃度を５〜７％程度にすることができる。然し、３０回／ｈ未満では、汚染物質濃度を低下することが困難となり、逆に３００回／ｈを越えると、風速が０．２ｍ／ｓｅｃを越え、飼育動物が風邪をひく虞があるので、好ましくない。
【００２４】
尚、図１に示す実施例において、高性能フィルタを備えた吹出口３５として、断面略楕円形状の高性能フィルタから成る吹出口３５について説明したが、吹出口３５の形状は図２又は図３のように高性能フィルタを備えたものであっても良い。
【００２５】
又、図１においては、１つの飼育室について説明したが、複数室の動物飼育室についても当然に適用できるものである。
【００２６】
【発明の効果】
以上のように請求項１乃至３の発明によれば、循環ファンを備えた循環路を備えたため、循環風量が増加でき、飼育動物の分泌物、排泄物に由来するアレルギー物質の濃度が９０％低減し、研究者及び飼育作業者の健康阻害を防止することができる。
【００２７】
又、循環路での供給が主として為されるため、従来の空調空気供給路だけで運転するものに比して温度分布及び風速分布が良好となる。
【図面の簡単な説明】
【図１】請求項１乃至３に係る動物飼育室用空調装置の一実施例を示す説明図である。
【図２】従来のワンスルー型の動物飼育室用空調装置を示す説明図である。
【図３】従来の１方向気流ラック方式の動物飼育室用空調装置を示す説明図である。
【符号の説明】
３０  動物飼育室
３１  仕切板
３２  飼育室
３３  汚染空気排気室
３４  天井
３５  吹出口
３６  ラック
３７  オープンタイプの飼育器
３８  空気導出穴
３９  粗じん及び脱臭フィルタ
４０  吸込口
４１  循環路
４２  循環ファン
４３  空調空気供給路
４４  外気処理空調機
４５  再熱ヒータ
４６  排気ファン
【図１】
0003638985.tif 000002
【図２】
0003638985.tif 000003
【図３】
0003638985.tif 000004